(57)【要約】【課題】ＮＴＳＣ複合映像信号の動画部と静止画部の判断を誤ることなく、正確に分離された輝度信号と搬送色信号を得ることを目的とする。【解決手段】ＮＴＳＣ複合映像信号１０１を入力して、輝度信号と搬送色信号とに分離するＹ／Ｃ分離回路において、上記ＮＴＳＣ複合映像信号１０１を入力とし、入力された映像フィルムのフィールドの境目を検出し、２：３プルダウン位相検出信号１１４を作成する２：３プルダウン位相検出回路１１３を備え、フィルムの１コマより作られた映像が３フィールド続くとき、選択回路１０９をして、該３フィールドの映像のうち、先頭フィールドと最終フィールドのＮＴＳＣ複合映像信号の和と、差を求めて、それぞれ輝度信号、搬送色信号として出力せしめるようにした。【選択図】　　　図１
2004129048.tif 000002
【特許請求の範囲】
【請求項１】
複合映像信号を入力とし、ライン間の相関を利用して、輝度信号と搬送色信号とに分離するライン間Ｙ／Ｃ分離回路と、
上記複合映像信号を入力とし、フレーム間の相関を利用して、輝度信号と搬送色信号とに分離するフレーム間Ｙ／Ｃ分離回路と、
上記複合映像信号を入力とし、フレーム間の動きを検出して、動き検出信号を作成する動き検出回路と、
上記ライン間Ｙ／Ｃ分離回路から分離された輝度信号と搬送色信号、または上記フレーム間Ｙ／Ｃ分離回路から分離された輝度信号と搬送色信号のいずれかを選択して出力する選択回路と、
上記複合映像信号を入力とし、入力された映像フィルムの境目を検出し、２：３プルダウン位相検出信号を作成する２：３プルダウン位相検出回路と、
上記動き検出信号と、上記２：３プルダウン位相検出信号とを入力とし、上記選択回路で上記いずれの輝度信号と搬送色信号を選択するかを決める動き選択信号を作成する動き選択回路と、を備えた、
ことを特徴とするＹ／Ｃ分離回路。
【請求項２】
請求項１記載のＹ／Ｃ分離回路において、
上記動き選択回路は、上記２：３プルダウン位相検出回路により検出したフィルムの境目から、フィルムの１コマより作られた映像が３フィールド続くとき、上記選択回路をして、該３フィールドの映像のうち、先頭フィールドと最終フィールドの複合映像信号の和と、差を求めて、それぞれ輝度信号、搬送色信号として出力せしめる、
ことを特徴とするＹ／Ｃ分離回路。
【発明の詳細な説明】
【０００１】
【発明の属する技術分野】
本発明は、Ｙ／Ｃ分離回路に関し、特にＮＴＳＣカラー・テレビジョン方式の複合映像信号を輝度信号と搬送色信号とに分離するＹ／Ｃ分離回路に関する。
【０００２】
【従来の技術】
従来、ＮＴＳＣカラー・テレビジョン方式の複合映像信号を、輝度信号と搬送色信号とに分離するＹ／Ｃ分離回路は、フレームの動きを検出し、Ｙ／Ｃ分離処理を行っていた。
【０００３】
以下、従来のＹ／Ｃ分離回路について説明する。
図３は、従来のＹ／Ｃ分離回路のブロック図である。
図３より、Ｙ／Ｃ分離回路は、ライン間Ｙ／Ｃ分離回路３０２と、フレーム間Ｙ／Ｃ分離回路３０３と、動き検出回路３０４と、選択回路３０９とを備えて構成される（例えば、特許文献１参照）。
【０００４】
【特許文献１】
特開平２−１３０９１号公報
【０００５】
ライン間Ｙ／Ｃ分離回路３０２は、輝度信号Ｙと搬送色信号Ｃの多重信号であるＮＴＳＣ複合映像信号３０１を入力とし、これを、ライン間の相関を利用して輝度信号（以下、ＹＬ信号という）３０５と、搬送色信号（以下、ＣＬ信号という）３０６とに分離する。フレーム間Ｙ／Ｃ分離回路３０３は、ＮＴＳＣ複合映像信号３０１を入力とし、これを、フレーム間の相関を利用して輝度信号（以下、ＹＦ信号という）３０７と、搬送色信号（以下、ＣＦ信号という）３０８とに分離する。動き検出回路３０４は、ＮＴＳＣ複合映像信号３０１を入力とし、フレーム間の映像の動きを検出して動き検出信号３１２を作成する。選択回路３０９は、動き検出信号３１２に基づいて、輝度信号については、ＹＬ信号３０５またはＹＦ信号３０７のいずれかを選択してＹＯ信号３１０として出力し、搬送色信号については、ＣＬ信号３０６またはＣＦ信号３０８のいずれかを選択して、ＣＯ信号３１１として出力する。
【０００６】
このように構成されたＹ／Ｃ分離回路について、その動作を説明する。
ＮＴＳＣ複合映像信号３０１は、ライン間Ｙ／Ｃ分離回路３０２と、フレーム間Ｙ／Ｃ分離回路３０３と、動き検出回路３０４にそれぞれ供給される。ライン間Ｙ／Ｃ分離回路３０２、及びフレーム間Ｙ／Ｃ分離回路３０３は、それぞれＹ／Ｃ分離を行い、ライン間Ｙ／Ｃ分離回路３０２からＹＬ信号３０５と、ＣＬ信号３０６を、フレーム間Ｙ／Ｃ分離回路３０３からＹＦ信号３０７と、ＣＦ信号３０８を、ともに選択回路３０９に出力する。選択回路３０９は、動き検出回路３０４から検出された動き検出信号３１２を入力して、輝度信号については、ＹＬ信号３０５またはＹＦ信号３０７のいずれかを選択して、ＹＯ信号３１０として出力し、搬送色信号については、ＣＬ信号３０６またはＣＦ信号３０８のいずれかを選択して、ＣＯ信号３１１として出力する。
【０００７】
次に、図２はフィルム素材のＮＴＳＣ複合映像信号を説明するための図である。
映画などのフィルム素材に記録された映像信号（以下、フィルム画像という）は、１秒間当たり２４コマの画像から構成されており、これに対しＮＴＳＣなどのテレビジョンフォーマットの画像信号（以下、ＮＴＳＣという）は、１秒間当たり６０フィールドの映像信号から構成されている。このためフィルム画像をＮＴＳＣに変換するには、フィルム画像の２コマが、ＮＴＳＣの５フィールドに変換されなければならない。実際には、フィルム画像の連続する２コマのうち、最初のフィルム画像の１コマに対して、ＮＴＳＣの２フィールドが対応し、続くフィルム画像の１コマに対して、ＮＴＳＣの３フィールドが対応する。このような変換方式を、２：３プルダウン方式という。
【０００８】
図２において、２０１はＴＯＰ０フィールド、２０２はＢＯＴＴＯＭ０フィールド、２０３はＴＯＰ１フィールド、２０４はＢＯＴＴＯＭ１フィールド、２０５はＴＯＰ２フィールド、２０６はＢＯＴＴＯＭ２フィールド、２０７はＴＯＰ３フィールド、２０８はＢＯＴＴＯＭ３フィールド、２０９はＴＯＰ４フィールド、２１０はＢＯＴＴＯＭ４フィールドである。
【０００９】
このように構成されたフィルム素材のＮＴＳＣ複合映像信号を従来のＹ／Ｃ分離回路に入力した場合について、その動作を述べる。
映画フィルムは秒間２４枚で記録されており、それをＮＴＳＣ複合映像信号に変換すると、ＴＯＰ０フィールド２０１と、ＢＯＴＴＯＭ０フィールド２０２のグループと、ＴＯＰ１フィールド２０３と、ＢＯＴＴＯＭ１フィールド２０４と、ＴＯＰ２フィールド２０５のグループと、ＢＯＴＴＯＭ２フィールド２０６と、ＴＯＰ３フィールド２０７のグループと、ＢＯＴＴＯＭ３フィールド２０８と、ＴＯＰ４フィールド２０９と、ＢＯＴＴＯＭ４フィールド２１０のグループというように、フィルム画像の１コマより作られた映像が２フィールド続く場合と、フィルム画像の１コマより作られた映像が３フィールド続く場合に分かれる。
【００１０】
動き検出回路３０４は、ＴＯＰ１フィールド２０３とＴＯＰ２フィールド２０５とを比較して、１フレーム間の動きを検出し、ＴＯＰ１フィールド２０３と、ＴＯＰ３フィールド２０７を比較して、２フレーム間の動きを検出する。ＴＯＰ１フィールド２０３と、ＴＯＰ２フィールド２０５の動きは、同じフィルムの１コマより作成されており、１フレーム間の動き検出結果は、全領域が一致した静止画と判定される。一方、ＴＯＰ１フィールド２０３と、ＴＯＰ３フィールド２０７の動きは、別のフィルムの１コマより作成されており、２フレーム間の動き検出結果としては、動画部分と静止画部分から、動画または静止画の判定が行われる。
【００１１】
【発明が解決しようとする課題】
このような上記従来のＹ／Ｃ分離回路においては、１フレーム間の動き検出結果と２フレーム間の動き検出結果とからＹ／Ｃ分離を行う際に、動画部と静止画部の判断を誤る場合があった。
【００１２】
つまり、Ｙ／Ｃ分離回路においては、より正確なＹ／Ｃ分離を行うことが要求されているが、従来の動き検出回路３０４では完全な動き検出は不可能なため、動きを検出する手法ではＹ／Ｃ分離を正確に行うことができないという問題があった。
【００１３】
本発明は、かかる問題点を解消するためになされたものであり、ＮＴＳＣ複合映像信号の動画部と静止画部の判断を誤ることなく、正確にＹ／Ｃ分離を行うことができるＹ／Ｃ分離回路を提供することを目的とする。
【００１４】
【課題を解決するための手段】
この課題を解決するために、本発明の請求項１に記載のＹ／Ｃ分離回路は、複合映像信号を入力とし、ライン間の相関を利用して、輝度信号と搬送色信号とに分離するライン間Ｙ／Ｃ分離回路と、上記複合映像信号を入力とし、フレーム間の相関を利用して、輝度信号と搬送色信号とに分離するフレーム間Ｙ／Ｃ分離回路と、上記複合映像信号を入力とし、フレーム間の動きを検出して、動き検出信号を作成する動き検出回路と、上記ライン間Ｙ／Ｃ分離回路から分離された輝度信号と搬送色信号、または上記フレーム間Ｙ／Ｃ分離回路から分離された輝度信号と搬送色信号のいずれかを選択して出力する選択回路と、上記複合映像信号を入力とし、入力された映像フィルムの境目を検出し、２：３プルダウン位相検出信号を作成する２：３プルダウン位相検出回路と、上記動き検出信号と、上記２：３プルダウン位相検出信号とを入力とし、上記選択回路で上記いずれの輝度信号と搬送色信号を選択するかを決める動き選択信号を作成する動き選択回路と、を備えたことを特徴とするものである。
【００１５】
また、本発明の請求項２に記載のＹ／Ｃ分離回路は、請求項１記載のＹ／Ｃ分離回路において、上記動き選択回路は、上記２：３プルダウン位相検出信号が検出したフィルムの境目から、フィルムの１コマより作られた映像が３フィールド続くとき、上記選択回路をして、該３フィールドの映像のうち、先頭フィールドと最終フィールドの複合映像信号の和と、差を求めて、それぞれ輝度信号、搬送色信号として出力せしめる、ことを特徴とするものである。
【００１６】
【発明の実施の形態】
（実施の形態１）
以下、本発明の実施の形態１について、図１と図２を用いて説明する。
図１は、本発明の実施の形態１によるＹ／Ｃ分離回路のブロック図である。
図１より、本実施の形態１によるＹ／Ｃ分離回路は、ライン間Ｙ／Ｃ分離回路１０２と、フレーム間Ｙ／Ｃ分離回路１０３と、動き検出回路１０４と、選択回路１０９と、２：３プルダウン位相検出回路１１３と、動き選択回路１１５とを備えて構成される。
【００１７】
ライン間Ｙ／Ｃ分離回路１０２は、輝度信号Ｙと搬送色信号Ｃの多重信号であるＮＴＳＣ複合映像信号１０１を入力とし、これを、ライン間の相関を利用して、輝度信号（以下、ＹＬ信号という）１０５と、搬送色信号（以下、ＣＬ信号という）１０６とに分離する。フレーム間Ｙ／Ｃ分離回路１０３は、ＮＴＳＣ複合映像信号１０１を入力とし、これを、フレーム間の相関を利用して、輝度信号（以下、ＹＦ信号という）１０７と、搬送色信号（以下、ＣＦ信号という）１０８とに分離する。動き検出回路１０４は、ＮＴＳＣ複合映像信号１０１を入力とし、映像信号のフレーム間の動きを検出して動き検出信号１１２を作成する。２：３プルダウン位相検出回路１１３は、ＮＴＳＣ複合映像信号１０１を入力とし、フィルムフレームの境目を示すフィールド位相を検出し、２：３プルダウン位相検出信号１１４を作成する。動き選択回路１１５は、動き検出信号１１２と、２：３プルダウン位相検出信号１１４とを入力とし、動き選択信号１１６を作成する。ここで、動き選択信号１１６は、フィルムの１コマより作られた映像が３フィールド続くときは、２：３プルダウン位相検出信号１１４を出力するようにし、フィルムの１コマより作られた映像が２フィールド続くときは、動き検出信号１１２を出力するようにする。選択回路１０９は、動き選択信号１１６に基づいて、輝度信号については、ＹＬ信号１０５またはＹＦ信号１０７のいずれかを選択してＹＯ信号１１０として出力し、搬送色信号については、ＣＬ信号１０６またはＣＦ信号１０８のいずれかを選択してＣＯ信号１１１として出力する。
【００１８】
このように構成されたＹ／Ｃ分離回路について、その動作を説明する。
ＮＴＳＣ複合映像信号１０１は、ライン間Ｙ／Ｃ分離回路１０２と、フレーム間Ｙ／Ｃ分離回路１０３と、動き検出回路１０４と、２：３プルダウン位相検出回路１１３にそれぞれ供給される。ライン間Ｙ／Ｃ分離回路１０２、及びフレーム間Ｙ／Ｃ分離回路１０３は、それぞれＹ／Ｃ分離を行い、ライン間Ｙ／Ｃ分離回路１０２からＹＬ信号１０５とＣＬ信号１０６を、フレーム間Ｙ／Ｃ分離回路１０３からＹＦ信号１０７とＣＦ信号１０８を、選択回路１０９に出力する。また、動き検出回路１０４は、映像信号のフレーム間の動きを検出して動き検出信号１１２を作成し、動き選択回路１１５に入力する。２：３プルダウン位相検出回路１１３は、２：３プルダウン方式により分離された映像フィルムのフィールドの境目を検出し、２：３プルダウン位相検出信号１１４を作成して、動き選択回路１１５に入力する。動き選択回路１１５は、動き検出信号１１２と、２：３プルダウン位相検出信号１１４とから動き選択信号１１６を生成し、選択回路１０９に入力する。選択回路１０９は、動き選択信号１１６に基づいて、輝度信号については、ＹＬ信号１０５またはＹＦ信号１０７のいずれかを選択してＹＯ信号１１０として出力し、搬送色信号については、ＣＬ信号１０６またはＣＦ信号１０８のいずれかを選択してＣＯ信号１１１として出力する。
【００１９】
次に、図２を用いて、フィルム素材のＮＴＳＣ複合映像信号から輝度信号と搬送色信号を分離する動作について説明する。
図２は、フィルム素材のＮＴＳＣ複合映像信号を説明するための図である。
図２に示すように、ＮＴＳＣ複合映像信号１０１は、２：３プルダウン位相検出回路１１１において、２：３プルダウン方式によりフィルム画像をＮＴＳＣに変換されたフィルムのフィールドの境目を検出する。
【００２０】
フィルムの１コマより作られた映像が、３フィールド続くＴＯＰ１フィールド２０３と、ＢＯＴＴＯＭ１フィールド２０４と、ＴＯＰ２フィールド２０５の場合、ＴＯＰ１フィールド２０３と、ＴＯＰ２フィールド２０５は同じ画像でありながら、ＮＴＳＣの信号規格により搬送色信号の位相が１８０度異なる。そのため、ＴＯＰ１フィールド２０３と、ＴＯＰ２フィールド２０５の和を求めることにより、搬送色信号のみが消去されて、完全な輝度信号を得ることができる。一方、ＴＯＰ１フィールド２０３と、ＴＯＰ２フィールド２０５の差を求めることにより、輝度信号のみが消去されて、完全な搬送色信号を得ることができる。同様に、ＢＯＴＴＯＭ３フィールド２０８と、ＴＯＰ４フィールド２０９と、ＢＯＴＴＯＭ４フィールド２１０においても、先頭フィールド（ＢＯＴＴＯＭ３フィールド２０８）と、最終フィールド（ＢＯＴＴＯＭ４フィールド２１０）の全面の和と、差をそれぞれ求めることにより、完全な輝度信号と、完全な搬送色信号を得ることができる。
【００２１】
また、フィルムの１コマより作られた映像が２フィールドの場合の２フィールド（ＴＯＰ０フィールド２０１と、ＢＯＴＴＯＭ０フィールド２０２のグループと、ＢＯＴＴＯＭ２フィールド２０６と、ＴＯＰ３フィールド２０７のグループ）と、フィルムの１コマより作られた映像が３フィールドの場合の中心の１フィールド（ＢＯＴＴＯＭ１フィールド２０４と、ＴＯＰ４フィールド２０９）の場合は、従来の手法と同様に、動き検出回路１０４において、フレーム間の動きを検出し、その検出結果から、完全な輝度信号と完全な搬送色信号を得ることができる。
【００２２】
このように、本実施の形態１によるＹ／Ｃ分離回路によれば、フィルムのフィールドの境目を検出する２：３プルダウン位相検出回路を備え、フィルム素材のＮＴＳＣ複合映像信号が入力されたとき、フィルムの１コマより作られた映像が３フィールド続く場合、上記選択回路をして、３フィールドの映像のうち、先頭フィールドと最終フィールドの複合映像信号の和と、差を求め、それぞれ輝度信号、搬送色信号として出力せしめるようにしたので、フィルムの１コマより作られた映像が３フィールド続く場合においても、ＮＴＳＣ複合映像信号の動画部と静止画部の判断を誤ることなく、正確に分離された輝度信号と搬送色信号を得ることができる。
【００２３】
【発明の効果】
このように、本発明の請求項１にかかるＹ／Ｃ分離回路によれば、複合映像信号を入力とし、これを、ライン間の相関を利用して、輝度信号と搬送色信号とに分離するライン間Ｙ／Ｃ分離回路と、上記複合映像信号を入力とし、これを、フレーム間の相関を利用して、輝度信号と搬送色信号とに分離するフレーム間Ｙ／Ｃ分離回路と、上記複合映像信号を入力とし、フレーム間の動きを検出して、動き検出信号を作成する動き検出回路と、上記ライン間Ｙ／Ｃ分離回路から分離された輝度信号と搬送色信号、または上記フレーム間Ｙ／Ｃ分離回路から分離された輝度信号と搬送色信号のいずれかを選択して出力する選択回路と、上記複合映像信号を入力とし、入力された映像フィルムの境目を検出し、２：３プルダウン位相検出信号を作成する２：３プルダウン位相検出回路と、上記動き検出信号と、上記２：３プルダウン位相検出信号とを入力とし、上記選択回路で上記いずれの輝度信号と搬送色信号を選択するかを決める動き選択信号を作成する動き選択回路とを備えたので、ＮＴＳＣ複合映像信号の動画部と静止画部の判断を誤ることなく、正確に分離された輝度信号と搬送色信号を得ることができる。
【００２４】
また、本発明の請求項２にかかるＹ／Ｃ分離回路によれば、請求項１記載のＹ／Ｃ分離回路において、上記動き選択回路は、上記２：３プルダウン位相検出信号が検出したフィルムの境目からフィルムの１コマより作られた映像が３フィールド続くとき、上記選択回路をして、該３フィールドの映像のうち、先頭フィールドと最終フィールドの複合映像信号の和と、差を求めて、それぞれ輝度信号、搬送色信号として出力せしめるようにしたので、ＮＴＳＣ複合映像信号の動画部と静止画部の判断を誤ることなく、正確に分離された輝度信号と搬送色信号を得ることができる。
【図面の簡単な説明】
【図１】本発明の実施の形態１によるＹ／Ｃ分離回路のブロック図。
【図２】フィルム素材のＮＴＳＣ複合映像信号を説明するための図。
【図３】従来のＹ／Ｃ分離回路のブロック図。
【符号の説明】
１０１，３０１　ＮＴＳＣ複合映像信号
１０２，３０２　ライン間Ｙ／Ｃ分離回路
１０３，３０３　フレーム間Ｙ／Ｃ分離回路
１０４，３０４　動き検出回路
１０５，３０５　ＹＬ信号
１０６，３０６　ＣＬ信号
１０７，３０７　ＹＦ信号
１０８，３０８　ＣＦ信号
１０９，３０９　選択回路
１１０，３１０　ＹＯ信号
１１１，３１１　ＣＯ信号
１１２，３１２　動き検出信号
１１３　２：３プルダウン位相検出回路
１１４　２：３プルダウン位相検出信号
１１５　動き選択回路
１１６　動き選択信号
２０１　ＴＯＰ０フィールド
２０２　ＢＯＴＴＯＭ０フィールド
２０３　ＴＯＰ１フィールド
２０４　ＢＯＴＴＯＭ１フィールド
２０５　ＴＯＰ２フィールド
２０６　ＢＯＴＴＯＭ２フィールド
２０７　ＴＯＰ３フィールド
２０８　ＢＯＴＴＯＭ３フィールド
２０９　ＴＯＰ４フィールド
２１０　ＢＯＴＴＯＭ４フィールド
【図１】
2004129048.tif 000003
【図２】
2004129048.tif 000004
【図３】
2004129048.tif 000005